(57)【要約】      （修正有）【課題】タッチセンサー層と立体映像発生構造で構成される薄くて軽いタッチセンサーを提供する。【解決手段】タッチセンサー２２はタッチセンサー層と立体映像発生構造で構成される。この立体映像発生構造２２１はタッチセンサー層２２２を底板とし、タッチセンサー層上に直接形成される。タッチセンサ層は単片式タッチフィルムであり、立体映像発生構造は、複数の視査バリアにより構成される。【選択図】図２Ａ
0003187420.tif 000002
【実用新案登録請求の範囲】
【請求項１】
タッチセンサー層と、
立体映像発生構造とを含み、
前記立体映像発生構造は該タッチセンサー層を底板とし、前記タッチセンサー上に直接形成することを特徴とするタッチセンサー。
【請求項２】
前記タッチセンサー層は単片式タッチフィルム（Ｏｎｅ  Ｆｉｌｍ  Ｓｏｌｕｔｉｏｎ）であることを特徴とする請求項１に記載のタッチセンサー。
【請求項３】
前記立体映像発生構造は複数の視差バリア（Ｐａｒａｌｌａｘ  Ｂａｒｒｉｅｒ）によって構成される視差バリア層であることを特徴とする、請求項２に記載のタッチセンサー。
【請求項４】
前記視差バリア層は遮光性感光層が露光、フォトレジストの工程を行った後に形成されることを特徴とする、請求項３に記載のタッチセンサー。
【請求項５】
前記視差バリア層は印刷又は転写の方法によって形成されることを特徴とする、請求項３に記載のタッチセンサー。
【請求項６】
前記視差バリア層はスパッタ（Ｓｐｕｔｔｅｒ）又は蒸着の方法によって形成されることを特徴とする、請求項２に記載のタッチセンサー。
【請求項７】
前記立体映像発生構造は複数のレンチキュラーレンズ（Ｌｅｎｔｉｃｕｌａｒ  Ｌｅｎｓ）によって構成されるレンチキュラーレンズ層であることを特徴とする、請求項２に記載のタッチセンサー。
【請求項８】
前記レンチキュラーレンズ層は透明観光層がハーフトーン（Ｈａｌｆ−ｔｏｎｅ）のフォトマスクによる露光、フォトレジストの工程を行った後に形成されることを特徴とする、請求項７に記載のタッチセンサー。
【請求項９】
バックライトモジュールとタッチセンサーを含み、前記タッチセンサーはタッチセンサー層及び立体映像発生構造で構成され、前記立体映像発生構造は前記タッチセンサーを底板とし、前記タッチセンサー上に直接形成することを特徴とする三次元表示機能を有するタッチパネル。
【請求項１０】
前記タッチセンサー層は単片式タッチフィルムであり、前記立体映像発生構造は複数の視差バリア（Ｐａｒａｌｌａｘ  Ｂａｒｒｉｅｒ）によって構成される視差バリア層であることを特徴とする、請求項９に記載の三次元表示機能を有するタッチパネル。
【考案の詳細な説明】
【技術分野】
【０００１】
本考案は、タッチセンサー層と立体映像発生構造で構成されるタッチセンサーに関し、より詳しくはタッチセンサーを含むタッチパネルに関する。
【背景技術】
【０００２】
タッチパネルはセンサーと表示パネルを統合し、操作が簡単であるという長所を有し、従前から次第に、例えば各種ポータブル式電子装置などの各種電子装置に統合されている。
未来のトレンドに対応するため、現在すでにタッチセンサー技術及び三次元表示技術（Ａｕｔｏ−ｓｔｅｒｅｏｓｃｏｐｉｃ  Ｄｉｓｐｌａｙ）を統合したタッチパネルが出現している。
一方、タッチセンサー技術も絶え間なく新しいものが出ており、単片式タッチフィルム（Ｏｎｅ  Ｆｉｌｍ  Ｓｏｌｕｔｉｏｎ，  ＯＦＳ）は単片式タッチガラス（Ｏｎｅ  Ｇｌａｓｓ  Ｓｏｌｕｔｉｏｎ，  ＯＧＳ）によって、より軽くて薄くなっているため、主要なタッチセンサー技術の１つとなっている。
しかしながら、周知技術のタッチパネルにはやはり多くの欠点がある。
【０００３】
図１は三次元表示機能を有するタッチパネルを説明する概略図である。
図１に示すように、タッチパネル１は保護ガラス（Ｃｏｖｅｒ  Ｇｌａｓｓ）、タッチセンサー、立体映像発生構造、カラーフィルタ、ＴＦＴアレイ（ＴＦＴ  Ａｒｒａｙ）及びバックライトモジュール（Ｂａｃｋｌｉｇｈｔ  Ｍｏｄｕｌｅ）を含む。
ここでは、このタッチパネル１の立体映像発生構造はまず底板上に製作され、さらにタッチセンサー等の部材と結合される。
【先行技術文献】
【特許文献】
【０００４】
【特許文献１】台湾特許出願公開第Ｍ４１９１９１号公報
【特許文献２】台湾特許出願公開第Ｍ４１０９２３号公報
【特許文献３】台湾特許出願公開第Ｍ４１３１２３号公報
【考案の概要】
【考案が解決しようとする課題】
【０００５】
しかしながら、前述した従来のタッチパネルでは、前記の方法によってタッチパネルは三次元表示機能を有するようにさせることができるものの、この底板は製造コストを増加させるだけでなく、タッチパネル１の厚さと重量を増加させてしまう。
【０００６】
さらに、特許文献１には接触制御と三次元表示機能を有する表示装置が記載されており、これは立体映像発生構造（レンチキュラーレンズ）をタッチパネルの背面板に貼り合せ、タッチ機能を前記タッチパネル中に統合する。
また、前記の方法はやはりまず立体映像発生構造を底板上に製作する必要があり、さらにこれをタッチパネルの背面板に貼り合せる必要があるため、同様な欠点を有する。
なお、特許文献２と特許文献３に記載される表示装置にも同様な問題を有する。
【０００７】
そこで、本考案者は、上記の欠点が改善可能と考え、鋭意検討を重ねた結果、合理的かつ効果的に課題を改善する本考案の提案に到った。
【０００８】
本考案は、このような従来の問題に鑑みてなされたものである。
上記した課題の解決のため、本考案は、立体映像発生構造を有するタッチセンサーを提供することを主目的とする。
つまり、周知技術のタッチパネルでは立体映像発生構造を製作するためには別途底板が必要であるため、タッチパネル全体のコストの上昇及びその厚さと重量を下げることができないという問題が引き起こされることを解決する。
【課題を解決するための手段】
【０００９】
前記した課題を解決し、目的を達成するために、本考案に係るタッチセンサーはタッチセンサー層と、立体映像発生構造とを含み、前記立体映像発生構造は該タッチセンサー層を底板とし、前記タッチセンサー上に直接形成することを特徴とする。
【００１０】
また、本考案は、好ましくは、タッチセンサー層は単片式タッチフィルムであることを特徴とする。
【００１１】
また、本考案は、好ましくは、立体映像発生構造は複数の視差バリアによって構成される視差バリア層であることを特徴とする。
【００１２】
また、本考案は、好ましくは、視差バリア層は遮光性感光層が露光、フォトレジストの工程を行った後に形成されることを特徴とする。
【００１３】
また、本考案は、好ましくは、視差バリア層は印刷又は転写の方法によって形成されることを特徴とする。
【００１４】
また、本考案は、好ましくは、視差バリア層はスパッタ又は蒸着の方法によって形成されることを特徴とする。
【００１５】
また、本考案は、好ましくは、立体映像発生構造は複数のレンチキュラーレンズによって構成されるレンチキュラーレンズ層であることを特徴とする。
【００１６】
また、本考案は、レンチキュラーレンズ層は透明観光層がハーフトーンのフォトマスクによる露光、フォトレジストの工程を行った後に形成されることを特徴とする。
【００１７】
さらに、本考案の実施形態に係る三次元表示機能を有するタッチパネルはバックライトモジュールとタッチセンサーを含み、タッチセンサーは前記と同じ構造であることを特徴とする。
【考案の効果】
【００１８】
前記の通りの本考案のタッチセンサー及びタッチセンサーを含むタッチパネルによれば、以下の利点を有する。
まず、本考案の第１実施形態では、立体映像発生構造とタッチセンサー層を結合させ、タッチセンサーが同時に三次元表示効果を有するようにさせ、タッチセンサーの付加機能を増加させる。
また、本考案の第１実施形態では、立体映像発生構造はタッチセンサー層を底板とし、タッチセンサー層の上に直接形成するため、このタッチセンサーを応用したタッチパネルの製造コストは減少し、その厚さと重量を減少させることができる。
さらに、本考案の第１実施形態では、単片式タッチフィルムとレンチキュラーレンズ又は視差バリアのタッチセンサーを結合させ、さらにこのタッチセンサーを応用したタッチパネルの製造コストを低減させ、その厚さと重量を減少させることができる。
最後に、本考案の実施形態中では各種立体映像発生構造は単片式タッチフィルムを底板とし、単片式タッチフィルム上に直接形成することによる各種最も効果的な方法が記載されている。
【図面の簡単な説明】
【００１９】
【図１】従来の、三次元表示機能を有するタッチパネルを説明する概略図である。
【図２Ａ】本考案の第１実施形態による三次元表示機能を有するタッチパネルを説明する概略図である。
【図２Ｂ】本考案の第１実施形態による三次元表示機能を有するタッチパネルを説明する概略図である。
【図３Ａ】本考案の第１実施形態による立体映像発生構造を有するタッチセンサーを説明する概略図である。
【図３Ｂ】本考案の第１実施形態による立体映像発生構造を有するタッチセンサーを説明する概略図である。
【図４Ａ】本考案の第１実施形態による立体映像発生構造を有するタッチセンサーを説明する概略図である。
【図４Ｂ】本考案の第１実施形態による立体映像発生構造を有するタッチセンサーを説明する概略図である。
【図５Ａ】本考案の第１実施形態による立体映像発生構造を有するタッチセンサーを説明する概略図である。
【図５Ｂ】本考案の第１実施形態による立体映像発生構造を有するタッチセンサーを説明する概略図である。
【図６】本考案の第１実施形態による立体映像発生構造を有するタッチセンサーを説明する概略図である。
【図７】本考案の第１実施形態による立体映像発生構造を有するタッチセンサーを説明する概略図である。
【図８Ａ】本考案の第１実施形態による立体映像発生構造を有するタッチセンサーを説明する概略図である。
【図８Ｂ】本考案の第１実施形態による立体映像発生構造を有するタッチセンサーを説明する概略図である。
【図９】本考案の第１実施形態によるタッチセンサー装置の製作方法を説明する流れ図である。
【考案を実施するための形態】
【００２０】
以下に図面を参照して、本考案を実施するための形態について、詳細に説明する。なお、本考案は、以下に説明する実施形態に限定されるものではない。
さらに、理解しやすくするため、以下の実施形態中の同一の部材には同一の符号を表記して説明する。これ以外に、本考案はその他の実施形態に汎用して実施することができる。つまり、本考案の範囲は、提出する実施形態の制限を受けず、本考案の実用新案登録請求の範囲に基づく。
【００２１】
本考案の実施形態の図面中の各部材又は工程を単一部材又は工程で描写説明するとき、これを有限の認知とするべきではなく、以下の説明で特に強調されていない数字上の制限は、本考案の精神と応用範囲に基づき、複数個の部材又は構造は存在する構造と方法上から推測できる。
さらに、本明細書中で、各部材の異なる部分は完全にサイズに基づき描写されているわけではなく、いくつかのサイズと他の関連サイズの比較又は強調又は簡略化がされており、より明確な描写によって本考案に対する理解を深めるようにしている。
本考案が援用する現有技術は、本考案の記述を助けるため、重点式の引用がなされているだけである。
【００２２】
（第１実施形態）
図２Ａと図２Ｂは本考案の第１実施形態による三次元の表示機能を有するタッチパネルを説明する概略図である。
図に示すように、タッチパネル２は保護ガラス（Ｃｏｖｅｒ  Ｇｌａｓｓ）、タッチセンサー２２、カラーフィルタ、ＴＦＴアレイ及びバックライトモジュール（Ｂａｃｋｌｉｇｈｔ  Ｍｏｄｕｌｅ）を含む。
【００２３】
タッチセンサー２２は、立体映像発生構造２２１及びタッチセンサー層２２２を含む。
タッチセンサー層２２２は、複数の実施形態を含み、本実施形態中では単片式タッチフィルム（Ｏｎｅ  Ｆｉｌｍ  Ｓｏｌｕｔｉｏｎ）を例とするが、本考案はこれに限定されない。
立体映像発生構造２２１はタッチセンサー層２２２を底板とし、タッチセンサー層２２２上に直接形成する。
前記と同じように、本実施形態では、タッチセンサー層２２２は単片式タッチフィルムであり、これは軽くて薄いという長所があるため、タッチパネル２の全体の厚さと重量を減少させることができる。
【００２４】
ちなみに、前記実施形態中のタッチセンサー２２は立体映像発生構造２２１とタッチセンサー層２２２を含むため、タッチセンサー２２が同時に三次元表示効果を有するようにさせ、これによりタッチセンサーの付加機能を増加させることができる。
【００２５】
立体映像発生構造２２１は複数の視差バリア（Ｐａｒａｌｌａｘ  Ｂａｒｒｉｅｒ）によって構成される視差バリア層であるか、又は複数のレンチキュラーレンズ（Ｌｅｎｔｉｃｕｌａｒ  Ｌｅｎｓ）によって構成されるレンチキュラーレンズ層等である。
【００２６】
図３Ａと図３Ｂは本考案の第１実施形態による立体映像発生構造を有するタッチセンサーを説明する概略図である。
図中では単片式タッチフィルム３２２と視差バリア層３２１を結合したタッチセンサー３２を例として挙げて説明している。
【００２７】
視差バリア層３２１中の複数の視差バリアは複数の方法によって単片式タッチフィルム３２２上に形成され、例えば、視差バリア層３２１は遮光性感光層を露光、フォトレジストの工程を行った後に形成される、又は印刷又は転写の方法によって形成される、又はスパッタ（Ｓｐｕｔｔｅｒ）又は蒸着の方法によって形成される縞状パターンをその視差バリアとしてもよい。
もちろん、前記の方法は例として挙げているだけであり、本考案はこれに限定されない。
【００２８】
図４Ａと図４Ｂは本考案の第１実施形態による立体映像発生構造を有するタッチセンサーを説明する概略図である。
図中では単片式タッチフィルム４２２とレンチキュラーレンズ層４２１を有するタッチセンサー４２を例として挙げて説明している。
【００２９】
同様に、レンチキュラーレンズ層４２１中の複数のレンチキュラーレンズも複数の方法によって単片式タッチフィルム４２２上に形成される。
実施形態では、レンチキュラーレンズ層４２１は透明感光層にハーフトーン（Ｈａｌｆ−ｔｏｎｅ）のフォトマスクによる露光、フォトレジストの工程を行った後、表面に発生するマイクロ凸レンズ効果によってレンチキュラーレンズ層４２１中の複数のレンチキュラーレンズを形成する。
もちろん、前記の方法は例として挙げているだけであり、本考案はこれに限定されない。
【００３０】
ちなみに、前述の実施形態中のタッチセンサーは各種立体映像発生構造と単片式タッチフィルムを有し、各種立体映像発生構造は単片式タッチフィルムを底板とし、単片式タッチフィルム上に形成する各種方法を開示しているため、このタッチセンサーの生産コストを低減させることができ、単片式タッチフィルムは軽くて薄いという特徴を備える。
【００３１】
よって、このタッチセンサーをタッチパネル中に設けることにより、タッチパネルが同時に三次元表示機能と接触制御機能を有するようにさせることができるだけでなく、タッチパネルの生産コストを低減させ、さらにその厚さと重量を減少させることができる。
したがって、前記の実施形態は確かに周知技術のタッチパネルの欠点を改善する。
【００３２】
また、前記の実施形態において、各種立体映像発生構造は単片式タッチフィルムを底板とし、単片式タッチフィルム上に直接形成する各種最も好ましい方法が記載されており、本考案の属する技術の分野における通常の知識を有する者は過度の実験を行うことなく本考案を実施することができる。
【００３３】
本考案の立体映像発生構造のタッチセンサーは他の表示パネル又は装置と結合させることができ、各種表示パネル又は装置が同時に立体三次元表示効果と接触制御機能を有するようにさせる。
【００３４】
図５Ａと図５Ｂは本考案の第１実施形態による立体映像発生構造を有するタッチセンサーを説明する概略図である。
図５Ａに示すように、立体映像発生構造と単片式タッチフィルムを結合したタッチセンサー５２はフレキシブル表示器の表示面上に直接製作することができる。
図５Ｂに示すように、立体映像発生構造と単片式タッチフィルムを結合したタッチセンサー５２はフレキシブル表示器の非表示面上に直接製作することもできる。
【００３５】
図６は本考案の第１実施形態による立体映像発生構造を有するタッチセンサーを説明する概略図である。
図６に示すように、立体映像発生構造と単片式タッチフィルムを結合したタッチセンサー６２も二次元／三次元表示上に応用することができ、二次元／三次元レンズ上に直接製作することができ、これが同時に三次元表示機能と接触制御機能を有するようにさせる。
【００３６】
図７は本考案の第１実施形態による立体映像発生構造を有するタッチセンサーを説明する概略図である。
図７に示すように、同様に、立体映像発生構造と単片式タッチフィルムを結合したタッチセンサー７２もＧＦＦ（Ｇｌａｓｓ−Ｆｉｌｍ−Ｆｉｌｍ）式構造上に直接製作することができ、これが同時に三次元表示機能と接触制御機能を有するようにさせる。
【００３７】
図８Ａと図８Ｂは本考案の第１実施形態による立体映像発生構造を有するタッチセンサーを説明する概略図である。図８Ａに示すように、立体映像発生構造と単片式タッチフィルムを有するタッチセンサー８２は偏光板（Ｐａｌｏｒｉｚｅｒ）の上層上に直接製作することができる。
図８Ｂに示すように、立体映像発生構造と単片式タッチフィルムを結合したタッチセンサー８２は偏光板の下層に直接製作してもよい。
【００３８】
図９は本考案の第１実施形態によるタッチセンサー装置の製作方法を説明する流れ図である。この方法は以下の工程を含む。
工程Ｓ９１では、タッチセンサーを提供する。
工程Ｓ９２では、タッチセンサーを底板とし、立体映像発生構造を前記タッチセンサー上に直接形成する。
【００３９】
前記の記載の通りに、本考案の第１実施形態による立体映像発生構造とタッチセンサーによれば、タッチセンサーが同時に三次元表示効果を有すると共に、タッチセンサーの付加機能を増加させる。
本考案の実施形態中では立体映像発生構造はタッチセンサーを底板とし、タッチセンサーの上に直接形成し、これにより三次元表示機能を有するパネルの製造コストを低減させ、その厚さと重量を減少させる。
これ以外に、本考案の実施形態中では単層薄膜式タッチセンサーとレンチキュラーレンズ又は視差バリアを結合させ、さらに三次元表示機能を有するパネルの製造コストを低減させ、その厚さと重量を減少させる。
これ以外に、本考案の実施形態中では各種立体映像生産構造は単片式タッチフィルムと底板し、単片式タッチフィルム上に直接形成する各種最も効果的な方法が記載されており、本考案の属する技術の分野における通常の知識を有する者が容易に実施をすることができるものである。
【００４０】
以上、本考案の実施形態について図面を参照して詳述したが、具体的な構成はこの実施形態に限られるものではなく、本考案の要旨を逸脱しない範囲の設計変更等も含まれる。
【符号の説明】
【００４１】
１      タッチパネル
２      タッチパネル
２２    タッチセンサー
３２    タッチセンサー
４２    タッチセンサー
５２    タッチセンサー
６２    タッチセンサー
７２    タッチセンサー
８２    タッチセンサー
２２１  立体映像発生構造
３２１  立体映像発生構造
４２１  立体映像発生構造
２２２  タッチセンサー層
３２２  タッチセンサー層
４２２  タッチセンサー層（単片式タッチフィルム）
Ｓ９１  工程
Ｓ９２  工程
【図１】
0003187420.tif 000003
【図２Ａ】
0003187420.tif 000004
【図２Ｂ】
0003187420.tif 000005
【図３Ａ】
0003187420.tif 000006
【図３Ｂ】
0003187420.tif 000007
【図４Ａ】
0003187420.tif 000008
【図４Ｂ】
0003187420.tif 000009
【図５Ａ】
0003187420.tif 000010
【図５Ｂ】
0003187420.tif 000011
【図６】
0003187420.tif 000012
【図７】
0003187420.tif 000013
【図８Ａ】
0003187420.tif 000014
【図８Ｂ】
0003187420.tif 000015
【図９】
0003187420.tif 000016
【手続補正書】
【提出日】平成25年9月18日(2013.9.18)
【手続補正１】
【補正対象書類名】実用新案登録請求の範囲
【補正対象項目名】全文
【補正方法】変更
【補正の内容】
【実用新案登録請求の範囲】
【請求項１】
タッチセンサー層と、
立体映像発生構造とを含み、
前記立体映像発生構造は該タッチセンサー層を底板とし、前記タッチセンサー層上に直接形成することを特徴とするタッチセンサー。
【請求項２】
前記タッチセンサー層は単片式タッチフィルム（Ｏｎｅ  Ｆｉｌｍ  Ｓｏｌｕｔｉｏｎ）であることを特徴とする請求項１に記載のタッチセンサー。
【請求項３】
前記立体映像発生構造は複数の視差バリア（Ｐａｒａｌｌａｘ  Ｂａｒｒｉｅｒ）によって構成される視差バリア層であることを特徴とする、請求項２に記載のタッチセンサー。
【請求項４】
前記視差バリア層は遮光性感光層が露光、フォトレジストの工程を行った後に形成されることを特徴とする、請求項３に記載のタッチセンサー。
【請求項５】
前記視差バリア層は印刷又は転写の方法によって形成されることを特徴とする、請求項３に記載のタッチセンサー。
【請求項６】
前記視差バリア層はスパッタ（Ｓｐｕｔｔｅｒ）又は蒸着の方法によって形成されることを特徴とする、請求項２に記載のタッチセンサー。
【請求項７】
前記立体映像発生構造は複数のレンチキュラーレンズ（Ｌｅｎｔｉｃｕｌａｒ  Ｌｅｎｓ）によって構成されるレンチキュラーレンズ層であることを特徴とする、請求項２に記載のタッチセンサー。
【請求項８】
前記レンチキュラーレンズ層は透明感光層がハーフトーン（Ｈａｌｆ−ｔｏｎｅ）のフォトマスクによる露光、フォトレジストの工程を行った後に形成されることを特徴とする、請求項７に記載のタッチセンサー。
【請求項９】
バックライトモジュールとタッチセンサーを含み、前記タッチセンサーはタッチセンサー層及び立体映像発生構造で構成され、前記立体映像発生構造は前記タッチセンサー層を底板とし、前記タッチセンサー層上に直接形成することを特徴とする三次元表示機能を有するタッチパネル。
【請求項１０】
前記タッチセンサー層は単片式タッチフィルムであり、前記立体映像発生構造は複数の視差バリア（Ｐａｒａｌｌａｘ  Ｂａｒｒｉｅｒ）によって構成される視差バリア層であることを特徴とする、請求項９に記載の三次元表示機能を有するタッチパネル。
【手続補正２】
【補正対象書類名】明細書
【補正対象項目名】０００９
【補正方法】変更
【補正の内容】
【０００９】
前記した課題を解決し、目的を達成するために、本考案に係るタッチセンサーはタッチセンサー層と、立体映像発生構造とを含み、前記立体映像発生構造は該タッチセンサー層を底板とし、前記タッチセンサー層上に直接形成することを特徴とする。
【手続補正３】
【補正対象書類名】明細書
【補正対象項目名】００１６
【補正方法】変更
【補正の内容】
【００１６】
また、本考案は、レンチキュラーレンズ層は透明感光層がハーフトーンのフォトマスクによる露光、フォトレジストの工程を行った後に形成されることを特徴とする。